(57)【要約】【課題】荷物などを一時的に保管することのほかに、ロッカーを利用する利用者、そしてまたロッカー前を行き来するその他の人々を念頭において、ロッカー扉が配列されるロッカーの正面を有効利用することが可能なロッカーを提供する。【解決手段】収納スペースを開閉するロッカー扉３の表面３ａに、配布物９を収納する収納棚１０を設けた。これにより、収納棚１０に配布物９などを収納しておくことができて、荷物などを一時的に保管することのほかに、ロッカーを利用する利用者、そしてまたロッカー前を行き来するその他の人々に配布物９などを配布することが可能となり、ロッカー扉３が配列されるロッカー正面の有効利用を図り得る。【選択図】　　　　　図２
2004097244.tif 000002
【特許請求の範囲】
【請求項１】
収納スペースを開閉するロッカー扉の表面に、配布物を収納する収納棚を設けたことを特徴とするロッカー。
【発明の詳細な説明】
【０００１】
【発明の属する技術分野】
本発明は、荷物などを一時的に保管することのほかに、ロッカーを利用する利用者、そしてまたロッカー前を行き来するその他の人々を念頭において、ロッカー扉が配列されるロッカーの正面を有効利用することが可能なロッカーに関する。
【０００２】
【従来の技術】
よく知られているように、駅構内や各種の施設には、荷物を一時的に預かる保管設備としてロッカーが備えられている。この種のロッカーは通常、全体として直方体形状の大型の筐体の正面に、矩形状の複数の独立したロッカー扉が縦横に配列され、各ロッカー扉それぞれの奥に、独立した収納スペースが設けられている。ロッカー扉は、その４つの縁辺のいずれかが筐体に対しヒンジを介して回動自在に取り付けられるのが一般的で、従ってロッカー扉はヒンジによって手前に向かって開かれるようになっている。そして、ロッカー扉を開けて荷物を入れ、その後ロッカー扉を閉めれば、収納スペース内に荷物が保管されることになる。
【０００３】
【特許文献１】
特開平１１−２５３５１号公報
【０００４】
【発明が解決しようとする課題】
ところで、従来のロッカーは、これが目的とする保管設備としてはさまざまな利用者によって十分に利用されているものの、ロッカーを利用するこのようなさまざまな利用者、そしてまたロッカー前を行き来するその他の人々を念頭においての保管設備以外の利用の仕方としては、いまだ不十分であるという課題があった。特に、荷物を出し入れするロッカー扉が配列されている筐体の正面は、利用者やロッカー前を行き来する人々からすれば、広がりのある領域として受け取られ、例えばこの正面を描画に利用したロッカーが知られている。しかしながら、このような用法だけでは十分な利用とは言い難く、ロッカー正面にこのような広がりのある領域があることを勘案することにより、ロッカーを単に保管設備としてだけでなく、その他にも応用する余地があると考えられる。
【０００５】
本発明は上記従来の課題に鑑みて創案されたものであって、荷物などを一時的に保管することのほかに、ロッカーを利用する利用者、そしてまたロッカー前を行き来するその他の人々を念頭において、ロッカー扉が配列されるロッカーの正面を有効利用することが可能なロッカーを提供することを目的とする。
【０００６】
【課題を解決するための手段】
本発明にかかるロッカーは、収納スペースを開閉するロッカー扉の表面に、配布物を収納する収納棚を設けたことを特徴とする。これにより、収納棚に配布物などを収納しておくことができて、荷物などを一時的に保管することのほかに、ロッカーを利用する利用者、そしてまたロッカー前を行き来するその他の人々に配布物などを配布することが可能となり、ロッカー扉が配列されるロッカー正面の有効利用を図り得る。
【０００７】
【発明の実施の形態】
以下に、本発明にかかるロッカーの好適な実施形態を、添付図面を参照して詳細に説明する。本実施形態にかかるロッカー１は図１および図２に示すように、相当の奥行きを有する直方体形状の筐体２の正面に、高さ方向および幅方向に縦横に配列されて各々独立して開閉される複数のロッカー扉３を備える。各ロッカー扉３は、筐体２内部に独立して形成された複数の収納スペース４（図３参照）をそれぞれ個別に開閉するために、収納スペース４の開口縁部５にヒンジ６を介して回動自在に取り付けられ、利用者の手前に向かって開かれるようになっている。
【０００８】
図示例にあっては、ロッカー扉３は矩形状に形成され、その右側縁部がヒンジ６によって開口縁部５に取り付けられているが、ロッカー扉３の形状やその取り付け位置はこれに限られない。また、ロッカー１の正面には、各ロッカー扉３の施解錠を制御する制御パネル７が取り付けられ、この制御パネル７を操作することによりロッカー扉３が施解錠され、解錠状態でロッカー扉３表面の取っ手８を引けば、ロッカー扉３を開いて収納スペース４を開放することができる。
【０００９】
ロッカー扉３には、ロッカー１の正面に面するその表面３ａに、パンフレットや広告宣伝物、ロッカーの使用説明書、お知らせなどの各種配布物９を挿抜自在に収納可能な収納棚１０が設けられる。図２に示した収納棚１０は、細長い帯状の底板部１１と、上方から下方に向かって順次窄まる形態の左右一対の側板部１２と、前面を覆う矩形板状の前板部１３と、側板部１２から外側に張り出す取付フランジ部１４とを硬質合成樹脂材や金属材などで一体成形して形成され、取付フランジ部１４を介してロッカー扉３の表面３ａに取り付けられることにより、ロッカー扉３の表面３ａとの間に、上向きに開放されてその内部に配布物９を縦向きに収納することが可能なポケット１５を形成するようになっている。収納棚１０をロッカー扉３の表面３ａに取り付ける方法としては、ネジ止め１６や接着など、一般周知のさまざまな方法を採用することができる。
【００１０】
取り付け方法の他の例としては図３に示すように、ロッカー扉３に、その上端縁３ｂから下方へ向かってスライド溝１７を一対形成するとともに、収納棚１０の一対の側板部１２には、取付フランジ部１４に代えて、各スライド溝１７にスライド自在に係合されるスライド凸部１８を形成し、ロッカー扉３を開いた状態で、スライド溝１７にスライド凸部１８を係合させて収納棚１０を引き下ろすことによって、これらスライド溝１７とスライド凸部１８との係合で収納棚１０をロッカー扉３に取り付けるようにしてもよい。
【００１１】
他方、収納棚１０による配布物９の収納形態として、図２および図３の場合にあっては配布物９を縦向きに収納する場合を例示したが、図４に示すように横向きに収納するようにしてもよい。このような収納形態では、収納棚１０ａは、上下一対の天板部１９と底板部２０、左右いずれか一方の側板部２１、前面を覆う前板部２２、並びに天板部１９および底板部２０から外側に張り出す取付フランジ部２３とを一体成形して形成され、ロッカー扉３の表面３ａに取り付けられることにより、ロッカー扉３の表面３ａとの間に、横向きに開放されてその内部に配布物９を横向きに収納することが可能なポケット１５ａを形成するようになっている。
【００１２】
さらに上記いずれの例もポケット１５，１５ａは単一であったが、図５および図６に示すように複数のポケット１５ｂを備えることもできる。この場合にあっては例えば収納棚１０ｂは、左右一対の側板部２４と、これら側板部２４間に斜め配置で上下に多段に配列される複数の仕切り板部２５と、前面を覆う前板部２６と、背面を封鎖する背板部２７と、これら前板部２６、仕切り板部２５および背板部２７相互の底面を塞ぐ複数の底板部２８と、各側板部２４から外側に張り出す取付フランジ部２９とを一体成形して形成され、ロッカー扉３の表面３ａに取り付けられることにより、上向きに開放された上下多段の各ポケット１５ｂが形成されるようになっている。従って、複数のポケット１５ｂそれぞれに配布物９を収納することができて上記の例よりも収納量を増量できるとともに、各ポケット１５ｂに種類の異なる配布物９を別々に収納することができる。この収納棚１０ｂは、ロッカー扉３に対して横に寝かせて取り付けることにより横向きの収納に利用することもできる。
【００１３】
以上説明したように本実施形態にかかるロッカー１は、収納スペース４を開閉するロッカー扉３の表面３ａに、配布物９を収納する収納棚１０，１０ａ，１０ｂを設けたので、荷物などを一時的に保管することのほかに、ロッカー１を利用する利用者、そしてまたロッカー１前を行き来するその他の人々に配布物９などを配布することが可能となり、ロッカー扉３が配列されるロッカー１正面の有効利用を図ることができる。本発明に用いられる収納棚については、その形態や材質などをさまざまに選定して製作できることはもちろんである。
【００１４】
【発明の効果】
以上要するに、本発明にかかるロッカーにあっては、収納棚に配布物などを収納しておくことができて、荷物などを一時的に保管することのほかに、ロッカーを利用する利用者、そしてまたロッカー前を行き来するその他の人々に配布物などを配布することが可能となり、ロッカー扉が配列されるロッカー正面の有効利用を図ることができる。
【図面の簡単な説明】
【図１】本発明にかかるロッカーの好適な一実施形態を示す正面図である。
【図２】図１のロッカーに適用される収納棚の一例を示すロッカーの部分拡大斜視図である。
【図３】図１に示した収納棚の取り付け方法の他の例を示すロッカーの部分拡大斜視図である。
【図４】図１のロッカーに適用される収納棚の他の例を示すロッカーの部分拡大斜視図である。
【図５】図１のロッカーに適用される収納棚のさらに他の例を示すロッカーの部分拡大斜視図である。
【図６】図５に示した収納棚の側面図である。
【符号の説明】
１　ロッカー　　　　　　　　　　　　４　収納スペース
３　ロッカー扉　　　　　　　　　　　３ａ　ロッカー扉の表面
９　配布物　　　　　　　　　　　　　１０，１０ａ，１０ｂ　収納棚
【図１】
2004097244.tif 000003
【図２】
2004097244.tif 000004
【図３】
2004097244.tif 000005
【図４】
2004097244.tif 000006
【図５】
2004097244.tif 000007
【図６】
2004097244.tif 000008